(57)【特許請求の範囲】
【請求項１】
ワイヤレス通信のための方法であって、
ネットワークにおいてセルに供することにそれぞれ利用可能な複数の様々なネットワーククラスタを識別することと、ここで、前記複数のネットワーククラスタのフォーメーションは、ネットワークパラメータに含まれる少なくとも一部のパラメータに基づいており、前記セルは、多重クラスタリングを通じて、複数のクラスタによって供されることができる、
前記複数のネットワーククラスタの各々に割り振られたネットワークリソースを識別することと、
前記識別されたネットワークリソースの一部を使用して前記セル内のユーザ機器にワイヤレスサービスを提供するために、前記複数のネットワーククラスタから少なくとも１つのネットワーククラスタを動的に選択することと
を備える方法。
【請求項２】
前記ネットワークパラメータが、時間パラメータ、周波数パラメータ、リソース割り振りパラメータ、干渉状態パラメータ、信号強度パラメータ、信号品質パラメータ、サービス品質パラメータ、または信号対雑音比（ＳＮＲ）パラメータを含む、請求項１に記載の方法。
【請求項３】
前記ネットワークリソースが、時間、周波数、空間次元、または拡散符号を含む、請求項１に記載の方法。
【請求項４】
集中ネットワークノードから前記複数のネットワーククラスタの前記フォーメーションを制御することをさらに備える、請求項１に記載の方法。
【請求項５】
複数のノードにわたる分散処理を介して前記複数のネットワーククラスタの前記フォーメーションを制御することをさらに備える、請求項１に記載の方法。
【請求項６】
指定された時間または周波数リソースを、変化したネットワークパラメータに応じて適応的に制御することをさらに備える、請求項１に記載の方法。
【請求項７】
１つの周波数帯域において前記複数のネットワーククラスタのうちの１つのクラスタを自動的に定義し、少なくとも１つの他の周波数帯域において前記複数のネットワーククラスタのうちの少なくとも１つの他のクラスタを自動的に定義することをさらに備える、請求項１に記載の方法。
【請求項８】
１つの時間期間によって前記複数のネットワーククラスタのうちの１つのクラスタを自動的に定義し、少なくとも１つの他の時間期間によって前記複数のネットワーククラスタのうちの少なくとも１つの他のクラスタを自動的に定義することをさらに備える、請求項１に記載の方法。
【請求項９】
偶数サブフレームによって前記複数のネットワーククラスタのうちの前記１つのクラスタを自動的に定義し、奇数サブフレームによって前記複数のネットワーククラスタのうちの前記少なくとも１つの他のクラスタを自動的に定義することをさらに備える、請求項８に記載の方法。
【請求項１０】
利益分析に基づいてクラスタとそれに割り当てられた前記リソースとを判断するユーティリティをユーザ機器のサブセットに変換することをさらに備える、請求項１に記載の方法。
【請求項１１】
時間または周波数にわたって固定された方式で割り振られたリソースブロックを識別することをさらに備える、請求項１に記載の方法。
【請求項１２】
ベースクラスタを地理的にシフトすることによって前記複数のネットワーククラスタを自動的に形成し、形成された各クラスタに様々なネットワークリソースを割り当てることをさらに備える、請求項１に記載の方法。
【請求項１３】
前記ベースクラスタに、形成された各クラスタへの少なくとも６つの異なるネットワークリソースが割り当てられる、請求項１２に記載の方法。
【請求項１４】
前記複数のネットワーククラスタのうちの好適なクラスタを判断するためにユーザ機器からのフィードバックを監視することをさらに備える、請求項１に記載の方法。
【請求項１５】
ユーザ機器のサブセットに複数のクラスタ通信を適用し、前記通信からのフィードバックを監視することをさらに備える、請求項１４に記載の方法。
【請求項１６】
前記ユーザ機器によるネットワークパフォ−マンスを最適化するクラスタのサブセットを自動的に選択することをさらに備える、請求項１５に記載の方法。
【請求項１７】
前記複数のネットワーククラスタにわたって共通である１つまたは複数のマスタセルを形成することをさらに備える、請求項１に記載の方法。
【請求項１８】
前記マスタセルにデータゲートウェイを提供することをさらに備える、請求項１７に記載の方法。
【請求項１９】
前記ネットワーク中で１つまたは複数の重複クラスタを構成することをさらに備える、請求項１８に記載の方法。
【請求項２０】
前記ネットワークパラメータに基づいて前記複数のネットワーククラスタを再構成することと、前記複数のネットワーククラスタをネットワーク要件に適合させることとをさらに備える、請求項１に記載の方法。
【請求項２１】
ネットワークにおいてセルに供することにそれぞれ利用可能な複数の様々なネットワーククラスタを識別し、ここで、前記複数のネットワーククラスタのフォーメーションは、ネットワークパラメータに含まれる少なくとも一部のパラメータに基づいており、前記セルは、多重クラスタリングによって、複数のクラスタに参加することができる、前記複数のネットワーククラスタの各々に割り振られたネットワークリソースを識別し、そして、前記識別されたネットワークリソースの一部を使用して前記セル内のユーザ機器にワイヤレスサービスを提供するために、前記複数のネットワーククラスタから少なくとも１つのネットワーククラスタを動的に選択するための命令を保持するメモリと、
前記命令を実行するプロセッサと
を備える通信装置。
【請求項２２】
前記ネットワークパラメータが、時間パラメータ、周波数パラメータ、リソース割り振りパラメータ、干渉状態パラメータ、信号強度パラメータ、信号品質パラメータ、サービス品質パラメータ、または信号対雑音比（ＳＮＲ）パラメータを含む、請求項２１に記載の装置。
【請求項２３】
集中ネットワークノードから前記複数のネットワーククラスタの形成を制御するための命令をさらに備える、請求項２１に記載の装置。
【請求項２４】
複数のノードにわたる分散処理を介して前記複数のネットワーククラスタの形成を制御するための命令をさらに備える、請求項２１に記載の装置。
【請求項２５】
指定された時間または周波数リソースを、変化したネットワークパラメータに応じて適応的に制御するための命令をさらに備える、請求項２１に記載の装置。
【請求項２６】
１つの周波数帯域において前記複数のネットワーククラスタのうちの１つのクラスタを自動的に定義し、少なくとも１つの他の周波数帯域において前記複数のネットワーククラスタのうちの少なくとも１つの他のクラスタを自動的に定義するための命令をさらに備える、請求項２１に記載の装置。
【請求項２７】
１つの時間期間によって前記複数のネットワーククラスタのうちの１つのクラスタを自動的に定義し、少なくとも１つの他の時間期間によって前記複数のネットワーククラスタのうちのクラスタを自動的に定義するための命令をさらに備える、請求項２１に記載の装置。
【請求項２８】
偶数サブフレームによって前記複数のネットワーククラスタのうちの前記１つのクラスタを自動的に定義し、奇数サブフレームによって前記複数のネットワーククラスタのうちの少なくとも１つの他のクラスタを自動的に定義するための命令をさらに備える、請求項２７に記載の装置。
【請求項２９】
セルに供することにそれぞれ利用可能な複数の様々なネットワーククラスタを識別するための手段と、ここで、前記複数のネットワーククラスタの各々のフォーメーションは、ネットワークパラメータに含まれる少なくとも一部のパラメータに基づいており、前記セルは、多重クラスタリングを通じて複数のクラスタによって供されることができる、
前記複数のネットワーククラスタの各々に割り振られたネットワークリソースを識別するための手段と、
前記識別されたネットワークリソースの一部を使用して前記セル内のユーザ機器にワイヤレスサービスを提供するために、前記複数のネットワーククラスタから少なくとも１つのネットワーククラスタを選択するための手段と
を備える通信装置。
【請求項３０】
前記ネットワークパラメータが、時間パラメータ、周波数パラメータ、リソース割り振りパラメータ、干渉状態パラメータ、信号強度パラメータ、信号品質パラメータ、サービス品質パラメータ、または信号対雑音比（ＳＮＲ）パラメータを含む、請求項２９に記載の装置。
【請求項３１】
コンピュータに、セルに供することにそれぞれ利用可能な複数の様々なネットワーククラスタを識別させるためのコードと、ここで、前記複数のネットワーククラスタの各々のフォーメーションは、ネットワークパラメータに含まれる少なくとも一部のパラメータに基づいており、前記セルは、多重クラスタリングによって、複数のクラスタに参加することができる、
コンピュータに、前記複数のネットワーククラスタの各々に割り振られたネットワークリソースを識別させるためのコードと、
コンピュータに、前記識別されたネットワークリソースの一部を使用して前記セル内のユーザ機器にワイヤレスサービスを提供するために、前記複数のネットワーククラスタから少なくとも１つのネットワーククラスタを判断させるためのコードと
を備えるコードを含むコンピュータ可読媒体。
【請求項３２】
前記ネットワークパラメータが、時間パラメータ、周波数パラメータ、リソース割り振りパラメータ、干渉状態パラメータ、信号強度パラメータ、信号品質パラメータ、サービス品質パラメータ、または信号対雑音比（ＳＮＲ）パラメータを含む、請求項３１に記載のコンピュータ可読媒体。
【請求項３３】
時間または周波数成分を含むネットワークパラメータのセットを処理するための手段と、
セルに供することにそれぞれ利用可能な複数の様々なネットワーククラスタを識別するための手段と、ここで、前記複数のネットワーククラスタの各々のフォーメーションは、前記時間または周波数成分に含まれる少なくとも一部のパラメータ基づいており、前記セルは、多重クラスタリングによって複数のクラスタに参加することができる、
前記複数のネットワーククラスタの各々に割り振られたネットワークリソースを識別するための手段と、
前記複数の様々なネットワーククラスタからの少なくとも１つのネットワーククラスタを、前記識別されたネットワークリソースの一部を使用して前記セル内のユーザ機器に関連付けるための手段と
を備える通信装置。
【請求項３４】
前記ネットワークパラメータが、リソース割り振りパラメータ、干渉状態パラメータ、信号強度パラメータ、信号品質パラメータ、サービス品質パラメータ、または信号対雑音比（ＳＮＲ）パラメータを含む、請求項３３に記載の装置。
【発明の詳細な説明】
【技術分野】
【０００１】
米国特許法第１１９条に基づく優先権の主張
本出願は、その全体が参照により本明細書に組み込まれる、２００８年８月１５日に出願された、ADAPTIVE CLUSTERING FRAMEWORK IN FREQUENCY-TIME FOR NETWORK MIMO SYSTEMSと題する、米国特許仮出願第６１／０８９４５０号の利益を主張する。
【０００２】
以下の説明は、一般に、ワイヤレス通信システムに関し、より詳細には、ワイヤレスネットワークにおいてパフォーマンスを最適化するための適応クラスタリング技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって、複数のユーザとの通信をサポートすることが可能な多元接続システムとすることができ得る。そのような多元接続システムの例には、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
直交周波数分割多重（ＯＦＤＭ）通信システムは、全システム帯域幅を、周波数サブチャネル、トーン、または周波数ビンとも呼ばれる複数（ＮF）個のサブキャリアに効果的に区分する。ＯＦＤＭシステムでは、まず、送信すべきデータ（すなわち、情報ビット）を特定の符号化方式を用いて符号化して符号化ビットを発生し、符号化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、ＮF個の周波数サブキャリアの各々上で変調シンボルを送信することができ得る。したがって、システム帯域幅にわたって様々な減衰量よって特徴づけられる、周波数選択性フェージングによって生じるシンボル間干渉（ＩＳＩ）をなくすために、ＯＦＤＭを使用することができ得る。
【０００５】
一般に、ワイヤレス多元接続通信システムは、順方向および逆方向リンク上の送信を介して１つまたは複数の基地局と通信する複数のワイヤレス端末のための通信を同時にサポートすることができる。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立でき得る。
【０００６】
ネットワークＭＩＭＯシステムに関する１つの問題は、合同送信および／または干渉調整における、空間領域におけるシステムにおける様々なセルの協働を含む。これは、セル間の可能な協働を定義する、基地局の「クラスタリング」を含む。クラスタ内のセルは、たとえば、所与の周波数−時間リソースに関して送信および／または干渉管理において協働することができる。クラスタリングは、いくつかの態様の中でもとりわけ、スケジューリングの複雑さを管理するために実行される。しかしながら、問題は、いくつかのユーザ機器は、静的に構成されたクラスタから優良なサービスを受けることができ得るが、他の同様に配置された機器は、貧弱なサービスしか受けることができ得ないので、クラスタ境界にいるユーザのパフォーマンスが損なわれる可能性があることである。
【発明の概要】
【０００７】
以下で、請求する主題のいくつかの態様の基本的理解を与えるために、簡略化された概要を提示する。本概要は、包括的な概観ではなく、主要な／重要な要素を識別するものでも、請求する主題の範囲を定めるものでもない。その唯一の目的は、後で提示するより詳細な説明の導入として、いくつかの概念を簡略化された形で提示することである。
【０００８】
システムおよび方法は、クラスタ境界におけるユーザ機器間のサービス格差を緩和するための時変的な動的適応クラスタリングを提供する。一態様では、セルの複数のクラスタが適応的に構成される。そのような構成は、たとえば、サービス品質（ＱｏＳ）または雑音パフォーマンスパラメータなど、検出されたネットワークパラメータに基づくことができる。セルの各クラスタリングは、それぞれのリソースに関する協働またはグループ化を定義する、周波数−時間リソースのセットに関連付けることができる。各クラスタリングに関連付けられる周波数−時間リソースの比率は、様々なパラメータ、たとえば、各クラスタリングから利益を得るユーザおよび関連する機器の数に基づいて、適応的／動的に変更できる。
【０００９】
クラスタ間のリソース管理は分散方式または集中方式で実行できる。セルのクラスタリングはセル間の可能な協働パターンを定義し、多重クラスタリングが、ユーザ機器の様々なサブセットにサービスするために構成できる。各クラスタリングは、各クラスタのセル間の協働が可能である周波数−時間リソースに関連付けることができる。セルの各クラスタリングに割り当てられるリソースの量およびパターン（たとえば、時間パターンまたは周波数ロケーション）は、適応的および時変的とすることができ、集中方式で（たとえば、マスタ基地局が関連するクラスタ局と通信する）、またはセル間の分散方式によって（たとえば、クラスタにおけるメンバーシップを判断するために、ノードが集合的にネットワークパラメータを監視する）、制御できる。
【００１０】
上記および関連する目的の達成のために、いくつかの例示的な態様について、以下の説明および添付の図面に関して本明細書で説明する。ただし、これらの態様は、請求する主題の原理を採用することができ得る様々な方法のうちのほんのいくつかを示すものであり、請求する主題は、すべてのそのような態様およびそれらの均等物を含むものとする。他の利点および新規の特徴は、以下の詳細な説明を図面とともに考察すると明らかになろう。
【図面の簡単な説明】
【００１１】
【図１】ワイヤレス通信システムのための自動クラスタ操作およびパラメータ最適化を提供するシステムのハイレベルブロック図。
【図２】ワイヤレスシステムのための例示的なクラスタを示す図。
【図３】ワイヤレス通信システムのための代替クラスタリング例を示す図。
【図４】ワイヤレス通信システムのための代替クラスタリング例を示す図。
【図５】ワイヤレス通信システムのための適応クラスタプロセスの流れ図。
【図６】自動クラスタ処理のための例示的な論理モジュールを示す図。
【図７】代替クラスタ処理のための例示的な論理モジュールを示す図。
【図８】自動クラスタプロセスを採用する例示的な通信装置を示す図。
【図９】多元接続ワイヤレス通信システムを示す図。
【図１０】例示的な通信システムを示す図。
【図１１】例示的な通信システムを示す図。
【発明を実施するための形態】
【００１２】
ワイヤレス通信システムにおいてユーザ機器パフォーマンスを円滑にするシステムおよび方法を提供する。一態様では、ワイヤレス通信のための方法を提供する。本方法は、ネットワークパラメータのセットを分析することと、ネットワークパラメータに部分的に基づいてネットワーククラスタのセットを自動的に形成することを含む。これは、ユーザ機器のサブセットにワイヤレスサービスを提供するためにネットワーククラスタのセットから少なくとも１つのネットワーククラスタを動的に選択することを含む。このようにしてネットワークパラメータを分析し、クラスタを自動的に形成することによって、ユーザ機器は、その特定のネットワーク環境およびロケーションに適合されたクラスタのセットから選択されたクラスタによってサービスされるので、ユーザ機器に関するネットワークパフォーマンスが最適化される。
【００１３】
本明細書で説明する１つまたは複数の例示的な実施形態では、説明する機能は、ハードウェア、ソフトウェア、ファームウェア、またはそれらの任意の組合せで実装でき得ることに留意されたい。ソフトウェアで実装した場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１４】
次に図１を参照すると、システム１００は、ワイヤレス通信システムのための自動クラスタ操作およびパラメータ最適化を提供し、クラスタ操作は、ユーザ機器にサービスするユーザ機器基地局クラスタのパフォーマンスを高めるために採用される。システム１００は、ワイヤレスネットワーク１１０を介した第２の（１つまたは複数の）デバイス１３０への通信が可能なエンティティとすることができる、（ノード、進化型ノードＢ−ｅＮＢ、フェムト局、およびピコ局などとも呼ばれる）１つまたは複数の基地局クラスタ１２０、１２４を含む。各クラスタ１２０および１２４は、協働的な方式で動作する２つ以上の基地局を含み、すべての基地局の集合または集団は適応クラスタ１２８と呼ばれる。各デバイス１３０（またはデバイスのサブセット）は、（端末、ユーザ機器、局、またはモバイルデバイスとも呼ばれる）アクセス端末とすることができる。基地局クラスタ１２０または１２４は、ダウンリンク１４０を介してデバイス１３０に通信し、アップリンク１５０を介してデータを受信する。デバイス１３０もダウンリンクチャネルを介してデータを送信し、アップリンクチャネルを介してデータを受信することができるので、アップリンクおよびダウンリンクのような表示は任意である。３つの構成要素１２０、１２４、および１３０が示されているが、ネットワーク１１０上で４つ以上の構成要素を採用することができ、そのような追加の構成要素を、本明細書で説明するワイヤレス処理およびクラスタ操作に適応させることもできることに留意されたい。
【００１５】
図示のように、クラスタ１２０、１２４、およびデバイス１３０の間でネットワーククラスタパラメータ１６０が受け渡され、どの局がデバイス１３０にサービスすべきクラスタとして協働するかを判断するためにクラスタ構成要素１７０、１７４が採用される。クラスタ制御を局またはクラスタ１２０、１２４の間に分散すること、あるいは集中的に制御することが可能であることに留意されたい。たとえば、クラスタ１２０および１２４は、各局において別々のクラスタ構成要素を有することができ得、クラスタ構成要素は、ネットワークパラメータ１６０を分析し、クラスタに属するかどうかをそれら自体で判断する。別の構成では、１つの局（または局の小さいサブセット）が、ネットワークパラメータ１６０を監視し、１つまたは複数の他のスレーブまたは従属局に対する制御を実施することができ得る。ネットワークパラメータ１６０は、たとえば、リソース割振りニーズ、干渉状態、信号強度、信号品質、サービス品質、および信号対雑音比（ＳＮＲ）など、複数のファクタに関係することができる。一般に、パラメータ１６０が分析され、クラスタ構成要素１７０、１７４を介した自動分析を考慮して、様々なクラスタが動的に形成され、デバイス１３０（またはデバイスサブセット）に最も最適なサービスを提供するために、様々なクラスタが選択される。
【００１６】
一般に、システム１００は、クラスタ境界で動作するユーザ機器１３０間のサービス格差を緩和するための時変的な動的適応クラスタリングを提供する。一態様では、セルの複数のクラスタ１０２および１２４が適応的に構成される。そのような構成は、たとえば、サービス品質（ＱｏＳ）または雑音パフォーマンスパラメータなど、検出されたネットワークパラメータ１６０に基づくことができる。セルの各クラスタリングは、それぞれのリソースに関する協働またはグループ化を定義する、周波数−時間リソースのセットに関連付けることができる。各クラスタリングに関連付けられる周波数−時間リソースの比率は、たとえば、各クラスタリングから利益を得るユーザおよび関連する機器の数など、様々なパラメータ１６０に基づいて、適応的／動的に変更することができる。
【００１７】
クラスタ１２０とクラスタ１２４の間のリソース管理は、分散方式または集中方式で実行することができる。セルのクラスタリングはセル間の可能な協働パターンを定義し、多重クラスタリングが、ユーザ機器１３０の様々なサブセットにサービスするために構成できる。各クラスタリングは、各クラスタのセル間の協働が可能である周波数−時間リソースに関連付けることができる。セルの各クラスタリングに割り当てられるリソースの量およびパターン（たとえば、時間パターンまたは周波数ロケーション）は、適応的および時変的とすることができ、集中方式で（たとえば、マスタ基地局が関連するクラスタ局と通信する）、またはセル間の分散方式によって（たとえば、クラスタにおけるメンバーシップを判断するために、ノードが集合的にネットワークパラメータ１６０を監視する）、制御できる。
【００１８】
概して、「クラスタ」という用語は、ある時間周波数ブロックにおける複数のユーザ／機器へのデータの送信において協働することができる、ネットワーク１１０中のセルのサブセットを指す。したがって、定義によれば、様々な「クラスタ」からのセルは協働することができない。各「クラスタ」内では、最大数のセルが特定のユーザ機器１３０への送信において協働することができる。各クラスタリングは、概して、クラスタへのセルの区分に対応する。この区分は、システム中に存在するセルに応じて様々なパラメータ１６０に基づくことができる。クラスタリングの一例を図２の２００に示す。
【００１９】
ネットワーク中のセルの多重「重複」クラスタリングを提供することが可能であることに留意されたい。したがって、セルは複数のクラスタに参加することができる。各クラスタに割り振られるセルの（時間、周波数、さらには空間領域における）リソースの量は、異なることができ、ネットワークトラフィックおよびサービスに対するユーザのニーズに基づいて、準静的または動的な方式で構成可能である。様々な態様を説明するためにリソースを一般化することもできる。たとえば、リソースを空間リソースに適用することもできる。前記のように、周波数−時間リソースを処理することができ、各セルをいずれかの特定のクラスタにおいて協働することに専用することができる。別の態様では、リソースを空間領域において一般化することもできる。これは、送信用または受信用の複数のアンテナを装備したノードＢ、基地局などに適用可能である。一例では、各セルは、それが参加しているクラスタごとに、いくつかのその物理アンテナを割り振ることができる。別の形態では、各セルは、仮想アンテナを生じるいくつかのビーム方向を形成することができ、これらの仮想アンテナを、そのセルがその一部である様々なクラスタ間に区分することができる。ＣＤＭＡのコンテキストでは、各セルにおいて利用可能な符号をリソースとして適用することができ、したがって区分し、様々なクラスタに割り当てることもできる。したがって、リソースは、時間、周波数、空間次元および符号を含むことができる。
【００２０】
また、本明細書で説明および例示するセルの形状は、実質的に任意の形態または集合またはグループのものとすることができることを諒解されたい。したがって、ヘキサゴナル（六角形）ネットワークが採用できるが、不規則または非従来型幾何学的形態を有する他のネットワーク形態も可能である。クラスタサイズを大きくすると、可能な協働の量が増加するが、同時に、ネットワークアーキテクチャおよびスケジューリングの複雑さも一般に増加する。各クラスタリングに対応して、クラスタ境界にあるいくつかのユーザ機器１３０が存在し得る。境界問題を克服するために、システム１００は、セルの多重クラスタリングを自動的に定義し、各クラスタリングは、以下でより詳細に説明する、指定された時間周波数リソースに関する、各クラスタ内のセル間の協働に対応する。
【００２１】
システム１００は、アクセス端末またはモバイルデバイスとともに採用でき、たとえば、ＳＤカード、ネットワークカード、ワイヤレスネットワークカード、（ラップトップ、デスクトップ、携帯情報端末（ＰＤＡ）を含む）コンピュータ、携帯電話、スマートフォン、またはネットワークにアクセスするために利用できる任意の他の好適な端末などのモジュールとすることができることに留意されたい。端末は、アクセス構成要素（図示せず）によってネットワークにアクセスする。一例では、端末とアクセス構成要素との間の接続は本質的にワイヤレスでもよく、アクセス構成要素は基地局でもよく、モバイルデバイスはワイヤレス端末である。たとえば、端末と基地局とは、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルによって通信することができ得る。
【００２２】
アクセス構成要素は、ワイヤードネットワークまたはワイヤレスネットワークに関連付けられたアクセスノードとすることができる。その目的で、アクセス構成要素は、たとえば、ルータ、スイッチなどとすることができる。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）とすることができ、基地局（またはワイヤレスアクセスポイント）は複数の加入者にワイヤレスカバレージエリアを与えるために利用される。そのような基地局（またはワイヤレスアクセスポイント）は、１つまたは複数のセルラー電話および／または他のワイヤレス端末にカバレージの連続するエリアを与えるように構成できる。
【００２３】
次に図３を参照すると、ワイヤレスシステムのための複数のシフトされたクラスタが示されている。前記のように、各クラスタリングに対応して、「クラスタ」境界にあるいくつかのユーザ機器が存在し得る。この問題を克服するために、セルの動的多重クラスタリングを提供する。したがって、セルの各クラスタリングは、指定された時間周波数リソースに関する、各クラスタ内のセル間の協働に対応する。一例は、３００において黒色で、３１０において灰色で示された、セルの２つのクラスタリングとすることができる。３００におけるクラスタリングは、周波数の「黒色」部分における可能な協働を定義し、３１０における「灰色」クラスタリングは、周波数の「灰色」部分における可能な協働を定義する。「クラスタリング」を時間領域において定義することもできる。たとえば、図３において、「黒色」クラスタリングは、偶数サブフレームにおける協働を定義することができ、「灰色」クラスタリングは、奇数サブフレームにおける協働を定義することができる。
【００２４】
クラスタリングと各クラスタリングに対応する周波数−時間ブロックとについての情報がノードＢまたは基地局の間で利用可能になる。これは、集中方式で、またはノードＢ間の分散方式によって得られる。クラスタリングに割り振られるリソースの部分は時間とともに適応的に変更することができる。この変更は、セル間で分散方式または集中方式で実行できる。この適応選択プロセスは、各特定のクラスタリングからのユーザ機器利益に依存するユーティリティに基づくことができる。特殊なケースとして、割り振られるブロックを時間、周波数またはその両方にわたって固定することができる。
【００２５】
図４に、ワイヤレスシステムのための代替クラスタリングを示す。一例として、（図３の図式３００の）「黒色」クラスタを６つの異なる方向にシフトすることによって得られる「クラスタリング」について考える。この場合、各ノードＢ（たとえば、ノードＢ  Ａ）は、図４の４００に示されるように、７つの異なる「クラスタリング」構成またはクラスタセットに属する。この場合、たとえば、ノードＢ  １と協働することができるノードＢは以下の通りである。
【００２６】
・  クラスタリングパターン４１０：ノードＢ  ２〜７
・  クラスタリングパターン４２０：ノードＢ  ３、４、５、１２、１３、１４
・  クラスタリングパターン４３０：ノードＢ  ５、６、７、１６、１７、１８
・  クラスタリングパターン４４０：ノードＢ  ２、７、１８、６、８、１９
・  クラスタリングパターン４５０：ノードＢ  ２、３、４、１０、１１、１２
・  クラスタリングパターン４６０：ノードＢ  ２、７、３、８、９、１０
・  クラスタリングパターン４７０：ノードＢ  ４、５、６、１４、１５、１６
以下の例では、たとえば、ＩＰパケットが「黒色」クラスタリングの中央のノードＢに到着するように、データゲートウェイを制限することが可能である。それは、ノードＢ  １、１５、１３、１１、９、１９、および１７である。これらのノードＢは「マスタノードＢ」と呼ばれる。これらのノードは、一般に、本例において定義されたすべての「クラスタリング」に存在する。リソース区分は、「マスタノードＢ」間のネゴシエーションによって実行できる。
【００２７】
次に図５を参照すると、クラスタおよびワイヤレス最適化のためのワイヤレス通信方法５００が示されている。説明を簡単にするために、本方法（および本明細書で説明する他の方法）を一連の行為として図示し説明するが、いくつかの行為は、１つまたは複数の態様によれば、本明細書で図示し説明する順序とは異なる順序で、および／または他の行為と同時に行われ得るので、本方法は行為の順序によって限定されないことを理解および諒解されたい。たとえば、方法は、状態図など、一連の相互に関係する状態または事象として代替的に表現できることを、当業者は理解および諒解するであろう。さらに、請求する主題による方法を実装するために、図示のすべての行為が利用されるわけではない。一般に、プロセス３００は、本明細書で説明する自動ハンドオーバ制御およびパラメータ最適化をサポートする、プロセッサ命令、論理プログラミング機能、または他の電子シーケンスとして実施することができる。
【００２８】
図５の５１０に進み、基地局ノードとユーザ機器との間でネットワークパラメータを通信する。そのようなパラメータは、前述のように、リソース、信号状態、サービス要件、および他のファクタに関係することができる。５２０において、分析されたパラメータからクラスタセットを自動的に形成し、判断する。たとえば、３つの周波数シフトされたクラスタを形成することができ得、その場合、１つのセットはワイヤレスデバイスの１つのサブセットにサービスし、別のクラスタは別のサブセットにサービスし、以下同様である。本明細書で使用する、デバイスのサブセットは、それぞれのクラスタと通信することができる１つまたは複数のワイヤレスデバイスを含む。５３０において、それぞれのユーザ機器またはデバイスサブセットに対して好適なクラスタを判断する。これは、可能性のあるクラスタと可能性のあるデバイスサブセットとを結合する動的判断を含むことができる。そのような結合は、たとえば、パラメータ最適化に基づくことができる。一例では、サブセットに対するサービス品質を最大化するようにクラスタサブセットとデバイスのサブセットとを結合する。５４０において、ネットワークパラメータ、およびクラスタ装荷などの他のファクタの分析に基づいて、デバイスの１つまたは複数のサブセットにサービスすべき１つまたは複数のクラスタを自動的に選択する。５５０において、デバイスのためのクラスタが選択された後、デバイスとそれぞれのクラスタとの間の通信を開始することができる。
【００２９】
本明細書で説明する技法プロセスは、様々な手段によって実装でき得る。たとえば、これらの技法は、ハードウェア、ソフトウェア、またはそれらの組合せで実装でき得る。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装でき得る。ソフトウェアでは、本明細書で説明する機能を実行するモジュール（たとえば、プロシージャ、関数など）によって実装を行うことができる。ソフトウェアコードは、メモリユニットに記憶し、プロセッサによって実行することができ得る。
【００３０】
次に図６および図７を参照すると、ワイヤレス信号処理に関係するシステムが与えられている。本システムは、プロセッサ、ソフトウェア、ハードウェア、ファームウェア、または任意の好適なそれらの組合せによって実装される機能を表すことができる一連の相互に関係する機能ブロックとして表される。
【００３１】
図６を参照すると、ワイヤレス通信システム６００が与えられている。システム６００は、ネットワークパラメータのセットを処理するための論理モジュール６０２または手段を含む。これは、ネットワークパラメータに部分的に基づいてネットワーククラスタのセットを判断するための論理モジュール７０４手段も含む。これは、ユーザ機器のサブセットにワイヤレスサービスを提供するためにネットワーククラスタのセットから少なくとも１つのネットワーククラスタを選択するための論理モジュール７０６または手段も含む。
【００３２】
図７を参照すると、ワイヤレス通信システム７００が与えられている。システム７００は、時間または周波数成分を含むネットワークパラメータのセットを処理するための論理モジュール７０２または手段を含む。これは、時間または周波数成分に部分的に基づいてネットワーククラスタのセットを選択するための論理モジュール７０４または手段を含む。システム７００は、ネットワーククラスタのセットからの少なくとも１つのネットワーククラスタをユーザ機器のサブセットに関連付けるための論理モジュール７０６または手段も含む。
【００３３】
別の態様では、ワイヤレス通信のための方法を提供する。本方法は、ネットワークパラメータのセットを分析することと、ネットワークパラメータに部分的に基づいてネットワーククラスタのセットを自動的に形成することと、ユーザ機器のサブセットにワイヤレスサービスを提供するためにネットワーククラスタのセットから少なくとも１つのネットワーククラスタを動的に選択することを含む。ネットワークパラメータは、時間パラメータ、周波数パラメータ、リソース割振りパラメータ、干渉状態パラメータ、信号強度パラメータ、信号品質パラメータ、サービス品質パラメータ、または信号対雑音比（ＳＮＲ）パラメータを含む。本方法は、集中ネットワークノードからネットワーククラスタを制御することを含む。これは、複数のノードにわたる分散処理を介してクラスタを制御することを含む。本方法はまた、指定された時間または周波数リソースを制御することと、１つの周波数帯域において１つのクラスタを自動的に定義し、少なくとも１つの他の周波数帯域において少なくとも１つの他のクラスタを自動的に定義することとを含む。これは、１つの時間期間に従って１つのクラスタを自動的に定義し、少なくとも１つの他の時間期間に従ってクラスタを自動的に定義することも含む。
【００３４】
本方法は、偶数サブフレームに従って１つのクラスタを自動的に定義し、奇数サブフレームに従って少なくとも１つの他のクラスタを自動的に定義することを含む。これは、利益分析に基づいてクラスタを判断するユーティリティをユーザ機器のサブセットに変換することと、時間または周波数にわたって固定された方式でリソースブロックを割り振ることも含む。これは、ベースクラスタを複数の時間または周波数方向にシフトすることによってクラスタを自動的に生成することを含み、ベースクラスタは、少なくとも６つの異なる周波数方向にシフトされる。本方法は、好適なクラスタを判断するためにユーザ機器からのフィードバックを監視することと、ユーザ機器サブセットに複数のクラスタ通信を適用し、通信からのフィードバックを監視することとを含む。これは、ユーザ機器に関するネットワークパフォーマンスを最適化するクラスタサブセットを自動的に選択することを含む。
【００３５】
別の態様では、通信装置を提供する。これは、ネットワークパラメータのセットを処理し、ネットワークパラメータに部分的に基づいてネットワーククラスタのセットを動的に形成し、ユーザ機器のサブセットにワイヤレスサービスを提供するためにネットワーククラスタのセットから少なくとも１つのネットワーククラスタを自動的に選択するための命令を保持するメモリと、その命令を実行するプロセッサとを含む。
【００３６】
別の態様では、コンピュータプログラム製品を提供する。これは、ハンドオーバを管理するためのコードを含むコンピュータ可読媒体を含み、そのコードは、コンピュータに、ネットワークパラメータのセットを分析させるためのコードと、コンピュータに、ネットワークパラメータに部分的に基づいてネットワーククラスタのセットを集合させるためのコードと、コンピュータに、ユーザ機器のサブセットにワイヤレスサービスを提供するためにネットワーククラスタのセットからの少なくとも１つのネットワーククラスタを判断させるためのコードとを備える。これは、装置、リソース割振りパラメータ、干渉状態パラメータ、信号強度パラメータ、信号品質パラメータ、および品質パラメータなどを含むことができる。これは、リソース割振りパラメータ、干渉状態パラメータ、信号強度パラメータ、信号品質パラメータ、または他の品質データをも含むことができる。
【００３７】
他の態様は、時間、周波数、空間次元または拡散符号を含む、ネットワークリソースを含む。これは、集中ネットワークノードからネットワーククラスタを制御すること、または複数のノードにわたる分散処理を介してクラスタを制御することを含む。これは、指定された時間または周波数リソースを制御することと、１つの周波数帯域において１つのクラスタを自動的に定義し、少なくとも１つの他の周波数帯域において少なくとも１つの他のクラスタを自動的に定義することとを含むことができる。
【００３８】
これは、１つの時間期間に従って１つのクラスタを自動的に定義し、少なくとも１つの他の時間期間に従ってクラスタを自動的に定義すること、または偶数サブフレームに従って１つのクラスタを自動的に定義し、奇数サブフレームに従って少なくとも１つの他のクラスタを自動的に定義することをも含むことができる。他の態様は、利益分析に基づいてクラスタとそれに割り当てられたリソースとを判断するユーティリティをユーザ機器のサブセットに変換することを含む。これは、時間または周波数にわたって固定された方式でリソースブロックを割り振ることと、ベースクラスタを地理的にシフトすることによってクラスタを自動的に生成することと、生成された各クラスタに様々なネットワークリソースを割り当てることとを含む。ベースクラスタは、生成された各クラスタへの少なくとも６つの異なるネットワークリソースを割り当てられる。これは、好適なクラスタを判断するためにユーザ機器からのフィードバックを監視することと、ユーザ機器サブセットに複数のクラスタ通信を適用し、通信からのフィードバックを監視することを含む。これは、ユーザ機器に関するネットワークパフォーマンスを最適化するクラスタサブセットを自動的に選択することと、様々なクラスタリング構成にわたって共通である１つまたは複数のマスタセルを形成することとをも含む。他の態様は、マスタセルにデータゲートウェイを提供することと、ネットワーク中で１つまたは複数の重複クラスタを構成することとを含む。これは、ネットワークパラメータに基づいて１つまたは複数のクラスタセットを準静的に再構成することと、クラスタセットをネットワーク要件に適合させることとを含むことができる。他の態様は、ネットワークリソースを割り振ること、装置、少なくとも６つの異なるネットワークリソース、マスタセル、ネットワークリソース、１つまたは複数のクラスタセット、１つまたは複数のマスタセル、１つまたは複数の重複クラスタ、リソース割振りパラメータ、干渉状態パラメータ、信号強度パラメータ、信号品質パラメータ、品質、時間、周波数、空間次元を含む。これは、ネットワークリソースを割り振ること、装置、リソース割振りパラメータ、干渉状態パラメータ、信号強度パラメータ、信号品質パラメータ、品質などを含む。
【００３９】
図８に、たとえば、ワイヤレス端末などのワイヤレス通信装置とすることができる通信装置８００を示す。追加または代替として、通信装置８００はワイヤードネットワーク内に常駐することができる。通信装置８００は、ワイヤレス通信端末中で信号分析を実行するための命令を保持することができるメモリ８０２を含むことができる。さらに、通信装置８００は、メモリ８０２内の命令および／または別のネットワークデバイスから受信した命令を実行することができるプロセッサ８０４を含むことができ得、命令は、通信装置８００または関連する通信装置を構成することまたは動作させることに関することができる。
【００４０】
図９を参照すると、多元接続ワイヤレス通信システム９００が示されている。多元接続ワイヤレス通信システム９００は、セル９０２、９０４、および９０６を含む複数のセルを含む。システム９００の態様では、セル９０２、９０４、および９０６は、複数のセクタを含むノードＢを含むことができ得る。複数のセクタはアンテナのグループによって形成でき、各アンテナは、セルの一部分におけるＵＥとの通信を担当する。たとえば、セル９０２において、アンテナグループ９１２、９１４、および９１６は各々異なるセクタに対応することができ得る。セル９０４において、アンテナグループ９１８、９２０、および９２２は各々異なるセクタに対応する。セル９０６において、アンテナグループ９２４、９２６、および９２８は各々異なるセクタに対応する。セル９０２、９０４および９０６は、各セル９０２、９０４または９０６の１つまたは複数のセクタと通信することができる、いくつかのワイヤレス通信デバイス、たとえば、ユーザ機器またはＵＥを含むことができる。たとえば、ＵＥ９３０および９３２はノードＢ９４２と通信することでき、ＵＥ９３４および９３６はノードＢ９４４と通信することができ、ＵＥ９３８および９４０はノードＢ９４６と通信することができる。
【００４１】
図１０を参照すると、一態様による多元接続ワイヤレス通信システムが示されている。アクセスポイント１０００（ＡＰ）は複数のアンテナグループを含み、あるアンテナグループは１００４および１００６を含み、別のアンテナグループはアンテナ１００８および１０１０を含み、追加のアンテナグループはアンテナ１０１２および１０１４を含む。図１０では、アンテナグループごとに２つのアンテナのみが示されているが、アンテナグループごとにより多いまたはより少ないアンテナが利用でき得る。アクセス端末１０１６（ＡＴ）はアンテナ１０１２および１０１４と通信中であり、アンテナ１０１２および１０１４は、順方向リンク１０２０上でアクセス端末１０１６に情報を送信し、逆方向リンク１０１８上でアクセス端末１０１６から情報を受信する。アクセス端末１０２２はアンテナ１００６および１００８と通信中であり、アンテナ１００６および１００８は、順方向リンク１０２６上でアクセス端末１０２２に情報を送信し、逆方向リンク１０２４上でアクセス端末１０２２から情報を受信する。ＦＤＤシステムでは、通信リンク１０１８、１０２０、１０２４および１０２６は、通信のための異なる周波数を使用することができ得る。たとえば、順方向リンク１０２０は、逆方向リンク１０１８によって使用される周波数とは異なる周波数を使用することができ得る。
【００４２】
アンテナの各グループ、および／またはアンテナが通信するために設計されたエリアは、しばしば、アクセスポイントのセクタと呼ばれる。アンテナグループはそれぞれ、アクセスポイント１０００によってカバーされる領域のセクタ内でアクセス端末に通信するように設計される。順方向リンク１０２０および１０２６上の通信では、アクセスポイント１０００の送信アンテナは、異なるアクセス端末１０１６および１０２４に対して順方向リンクの信号対雑音比を改善するためにビームフォーミングを利用する。また、そのカバレージにわたってランダムに散在するアクセス端末に送信するためにビームフォーミングを使用するアクセスポイントは、単一のアンテナを介してすべてのそのアクセス端末に送信するアクセスポイントよりも、近隣セル内のアクセス端末に生じる干渉が少ない。アクセスポイントは、端末との通信に使用される固定局でもよく、アクセスポイント、ノードＢ、または何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００４３】
図１１を参照すると、システム１１００には、ＭＩＭＯシステム１１００における（アクセスポイントとしても知られる）送信機システム２１０および（アクセス端末としても知られる）受信機システム１１５０が示されている。送信機システム１１１０において、いくつかのデータストリームのトラフィックデータがデータソース１１１２から送信（ＴＸ）データプロセッサ１１１４に供給される。各データストリームは、それぞれの送信アンテナを介して送信される。ＴＸデータプロセッサ１１１４は、符号化データを与えるために、各データストリームのトラフィックデータを、そのデータストリーム用に選択された特定の符号化方式に基づいてフォーマッティングし、符号化し、インターリーブする。
【００４４】
各データストリームの符号化データは、ＯＦＤＭ技法を使用してパイロットデータと多重化でき得る。パイロットデータは、一般に、知られている方法で処理され、チャネル応答を推定するために受信機システムにおいて使用でき得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１１３０によって実行される命令によって決定され得る。
【００４５】
次いで、すべてのデータストリームの変調シンボルがＴＸ  ＭＩＭＯプロセッサ１１２０に供給され、ＴＸ  ＭＩＭＯプロセッサ１１２０はさらに（たとえば、ＯＦＤＭのために）その変調シンボルを処理することができ得る。次いで、ＴＸ  ＭＩＭＯプロセッサ１１２０はＮＴ個の変調シンボルストリームをＮＴ個の送信機（ＴＭＴＲ）１１２２ａ〜１１２２ｔに供給する。いくつかの実施形態では、ＴＸ  ＭＩＭＯプロセッサ１１２０は、データストリームのシンボル、シンボルが送信されているアンテナとにビームフォーミング重みを適用する。
【００４６】
各送信機１１２２は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した変調信号を与える。次いで、送信機１１２２ａ〜１１２２ｔからのＮＴ個の変調信号は、それぞれＮＴ個のアンテナ１１２４ａ〜１１２４ｔから送信される。
【００４７】
受信機システム１１５０では、送信された変調信号はＮＲ個のアンテナ１１５２ａ〜１１５２ｒによって受信され、各アンテナ１１５２からの受信信号は、それぞれの受信機（ＲＣＶＲ）１１５４ａ〜１１５４ｒに供給される。各受信機１１５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを与える。
【００４８】
次いで、ＲＸデータプロセッサ１１６０は、ＮＲ個の受信機１１５４からＮＲ個の受信シンボルストリームを受信し、特定の受信機処理技法に基づいて処理して、ＮＴ個の「検出」シンボルストリームを与える。次いで、ＲＸデータプロセッサ１１６０は、各検出シンボルストリームを復調し、デインターリーブし、復号して、データストリームに対するトラフィックデータを回復する。ＲＸデータプロセッサ１１６０による処理は、送信機システム１１１０におけるＴＸ  ＭＩＭＯプロセッサ１１２０およびＴＸデータプロセッサ１１１４によって実行される処理を補足するものである。
【００４９】
プロセッサ１１７０は、どのプリコーディング行列（以下で説明する）を使用すべきかを定期的に判断する。プロセッサ１１７０は、行列インデックス部とランク値部とを備える逆方向リンクメッセージを作成する。逆方向リンクメッセージは、通信リンクおよび／または受信データストリームに関する様々なタイプの情報を備えることができ得る。次いで、逆方向リンクメッセージは、データソース１１３６からいくつかのデータストリームのトラフィックデータをも受信するＴＸデータプロセッサ１１３８によって処理され、変調器１１８０によって変調され、送信機１１５４ａ〜１１５４ｒによって調整され、送信機システム１１１０に戻される。パラメータは、リソース割振りパラメータ、干渉状態パラメータ、信号強度パラメータ、信号品質パラメータ、品質を含む。
【００５０】
送信機システム１１１０において、受信機システム１１５０からの変調信号は、アンテナ１１２４によって受信され、受信機１１２２によって調整され、復調器１１４０によって復調され、受信機システム１１５０によって送信された逆方向リンクメッセージを抽出するためにＲＸデータプロセッサ１１４２によって処理される。次いで、プロセッサ１１３０は、ビームフォーミング重みを決定するためにどのプリコーディング行列を使用すべきかを判断し、次いで、抽出されたメッセージを処理する。
【００５１】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルである。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。論理トラフィックチャネルは、ユーザ情報を転送するための１つのＵＥに専用のポイントツーポイント双方向チャネルである専用トラフィックチャネル（ＤＴＣＨ）を備える。さらに、トラフィックデータを送信するためのポイントツーマルチポイントＤＬチャネルであるマルチキャストトラフィックチャネル（ＭＴＣＨ）を備える。
【００５２】
トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００５３】
ＤＬ  ＰＨＹチャネルは、たとえば、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および負荷インジケータチャネル（ＬＩＣＨ）を備える。
【００５４】
ＵＬ  ＰＨＹチャネルは、たとえば、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を備える。
【００５５】
他の用語／構成要素は、３Ｇ  ３ｒｄ  Ｇｅｎｅｒａｔｉｏｎ、３ＧＰＰ  ３ｒｄ  Ｇｅｎｅｒａｔｉｏｎ  Ｐａｒｔｎｅｒｓｈｉｐ  Ｐｒｏｊｅｃｔ、ＡＣＬＲ隣接チャネルリーク比、ＡＣＰＲ隣接チャネル電力比、ＡＣＳ隣接チャネル選択度、ＡＤＳ  Ａｄｖａｎｃｅｄ  Ｄｅｓｉｇｎ  Ｓｙｓｔｅｍ、ＡＭＣ適応変調コーディング、Ａ−ＭＰＲ追加最大電力低減、ＡＲＱ自動再送要求、ＢＣＣＨブロードキャスト制御チャネル、ＢＴＳ送受信基地局、ＣＤＤ巡回遅延ダイバーシティ、ＣＣＤＦ相補累積分布関数、ＣＤＭＡ符号分割多元接続、ＣＦＩ制御フォーマットインジケータ、Ｃｏ−ＭＩＭＯ協働ＭＩＭＯ、ＣＰ巡回プレフィックス、ＣＰＩＣＨ共通パイロットチャネル、ＣＰＲＩ共通公衆無線インターフェース、ＣＱＩチャネル品質インジケータ、ＣＲＣ巡回冗長検査、ＤＣＩダウンリンク制御インジケータ、ＤＦＴ離散フーリエ変換、ＤＦＴ−ＳＯＦＤＭ離散フーリエ変換拡散ＯＦＤＭ、ＤＬダウンリンク（基地局−加入者送信）、ＤＬ−ＳＣＨダウンリンク共有チャネル、Ｄ−ＰＨＹ  ５００Ｍｂｐｓ物理レイヤ、ＤＳＰデジタル信号処理、ＤＴ開発ツールセット、ＤＶＳＡデジタルベクトル信号分析、ＥＤＡ電子設計オートメーション、Ｅ−ＤＣＨ拡張専用チャネル、Ｅ−ＵＴＲＡＮ  Ｅｖｏｌｖｅｄ  ＵＭＴＳ地上波無線アクセスネットワーク、ｅＭＢＭＳ  Ｅｖｏｌｖｅｄマルチメディアブロードキャストマルチキャストサービス、ｅＮＢ  ＥｖｏｌｖｅｄノードＢ、ＥＰＣ  Ｅｖｏｌｖｅｄパケットコア、ＥＰＲＥリソース要素当たりのエネルギー、ＥＴＳＩ  Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ、Ｅ−ＵＴＲＡ  Ｅｖｏｌｖｅｄ  ＵＴＲＡ、Ｅ−ＵＴＲＡＮ  Ｅｖｏｌｖｅｄ  ＵＴＲＡＮ、ＥＶＭエラーベクトル振幅、およびＦＤＤ周波数分割複信を含む。
【００５６】
さらに他の用語は、ＦＦＴ高速フーリエ変換、ＦＲＣ固定基準チャネル、ＦＳ１フレーム構造タイプ１、ＦＳ２フレーム構造タイプ２、ＧＳＭ（登録商標）  Ｇｌｏｂａｌ  Ｓｙｓｔｅｍ  ｆｏｒ  Ｍｏｂｉｌｅ  Ｃｏｍｍｕｎｉｃａｔｉｏｎｓ、ＨＡＲＱハイブリッド自動再送要求、ＨＤＬハードウェア記述言語、ＨＩ  ＨＡＲＱインジケータ、ＨＳＤＰＡ高速ダウンリンクパケットアクセス、ＨＳＰＡ高速パケットアクセス、ＨＳＵＰＡ高速アップリンクパケットアクセス、ＩＦＦＴ逆ＦＦＴ、ＩＯＴ相互運用性試験、ＩＰインターネットプロトコル、ＬＯ局部発振器、ＬＴＥ  Ｌｏｎｇ  Ｔｅｒｍ  Ｅｖｏｌｕｔｉｏｎ、ＭＡＣ媒体アクセス制御、ＭＢＭＳマルチメディアブロードキャストマルチキャストサービス、ＭＢＳＦＮマルチキャストブロードキャスト単一周波数ネットワーク、ＭＣＨマルチキャストチャネル、ＭＩＭＯ多入力多出力、ＭＩＳＯ多入力単出力、ＭＭＥモビリティ管理エンティティ、ＭＯＰ最大出力電力、ＭＰＲ最大電力低減、ＭＵ−ＭＩＭＯマルチユーザＭＩＭＯ、ＮＡＳ非アクセス階層、ＯＢＳＡＩオープン基地局アーキテクチャインターフェース、ＯＦＤＭ直交周波数分割多重、ＯＦＤＭＡ直交周波数分割多元接続、ＰＡＰＲピーク対平均電力比、ＰＡＲピーク対平均値比、ＰＢＣＨ物理ブロードキャストチャネル、Ｐ−ＣＣＰＣＨ１次共通制御物理チャネル、ＰＣＦＩＣＨ物理制御フォーマットインジケータチャネル、ＰＣＨページングチャネル、ＰＤＣＣＨ物理ダウンリンク制御チャネル、ＰＤＣＰパケットデータコンバージェンスプロトコル、ＰＤＳＣＨ物理ダウンリンク共有チャネル、ＰＨＩＣＨ物理ハイブリッドＡＲＱインジケータチャネルチャネル、ＰＨＹ物理レイヤ、ＰＲＡＣＨ物理ランダムアクセスチャネル、ＰＭＣＨ物理マルチキャストチャネル、ＰＭＩプリコーディング行列インジケータ、Ｐ−ＳＣＨ１次同期信号、ＰＵＣＣＨ物理アップリンク制御チャネル、およびＰＵＳＣＨ物理アップリンク共有チャネルを含む。
【００５７】
他の用語は、ＱＡＭ直交振幅変調、ＱＰＳＫ４位相偏移キーイング、ＲＡＣＨランダムアクセスチャネル、ＲＡＴ無線アクセス技術、ＲＢリソースブロック、ＲＦ無線周波数、ＲＦＤＥ  ＲＦ設計環境、ＲＬＣ無線リンク制御、ＲＭＣ基準測定チャネル、ＲＮＣ無線ネットワークコントローラ、ＲＲＣ無線リソース制御、ＲＲＭ無線リソース管理、ＲＳ基準信号、ＲＳＣＰ受信信号符号電力、ＲＳＲＰ基準信号受信電力、ＲＳＲＱ基準信号受信品質、ＲＳＳＩ受信信号強度インジケータ、ＳＡＥ  Ｓｙｓｔｅｍ  Ａｒｃｈｉｔｅｃｔｕｒｅ  Ｅｖｏｌｕｔｉｏｎ、ＳＡＰサービスアクセスポイント、ＳＣ−ＦＤＭＡシングルキャリア周波数分割多元接続、ＳＦＢＣ空間周波数ブロックコーディング、Ｓ−ＧＷサービングゲートウェイ、ＳＩＭＯ単入力多出力、ＳＩＳＯ単入力単出力、ＳＮＲ信号対雑音比、ＳＲＳサウンディング基準信号、Ｓ−ＳＣＨセカンダリ同期信号、ＳＵ−ＭＩＭＯシングルユーザＭＩＭＯ、ＴＤＤ時分割複信、ＴＤＭＡ時分割多元接続、ＴＲ技術報告、ＴｒＣＨトランスポートチャネル、ＴＳ技術仕様、ＴＴＡ  Ｔｅｌｅｃｏｍｍｕｎｉｃａｔｉｏｎｓ  Ｔｅｃｈｎｏｌｏｇｙ  Ａｓｓｏｃｉａｔｉｏｎ、ＴＴＩ送信時間間隔、ＵＣＩアップリンク制御インジケータ、ＵＥユーザ機器、ＵＬアップリンク（加入者−基地局送信）、ＵＬ−ＳＣＨアップリンク共有チャネル、ＵＭＢウルトラモバイルブロードバンド、ＵＭＴＳユニバーサル移動通信システム、ＵＴＲＡ汎用地上波無線アクセス、ＵＴＲＡＮ汎用地上波無線アクセスネットワーク、ＶＳＡベクトル信号分析器、およびＷ−ＣＤＭＡ広帯域符号分割多元接続を含む。
【００５８】
本明細書では、様々な態様について、端末に関して説明したことに留意されたい。端末はまた、システム、加入者ユニット、加入者局、移動局、モバイルデバイス、リモート局、リモート端末、アクセス端末、ユーザ端末、ユーザエージェント、ユーザデバイス、またはユーザ機器と呼ばれることがある。ユーザデバイスは、セルラー電話、コードレス電話、セッション開始プロトコル（ＳＩＰ）電話、ワイヤレスローカルループ（ＷＬＬ）局、ＰＤＡ、ワイヤレス接続機能を有するハンドヘルドデバイス、端末内のモジュール、ホストデバイス（たとえば、ＰＣＭＣＩＡカード）に取り付けることができるまたはその中に組み込むことができるカード、あるいはワイヤレスモデムに接続された他の処理デバイスとすることができる。
【００５９】
さらに、請求する主題の様々な態様を実装するために、標準的なプログラミングおよび／またはエンジニアリング技法を使用して、開示する態様を実装するようにコンピュータまたはコンピュータ構成要素を制御するためのソフトウェア、ファームウェア、ハードウェア、またはそれらの任意の組合せを生成する方法、装置、または製造品として請求する主題の態様を実装することができ得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピーディスク、磁気ストリップ．．．）、光ディスク（たとえば、コンパクトディスク（ＣＤ）、デジタル多用途ディスク（ＤＶＤ）．．．）、スマートカード、およびフラッシュメモリデバイス（たとえば、カード、スティック、キードライブ．．．）を含むことができるが、これらに限定されない。さらに、ボイスメールを送信および受信する際またはセルラーネットワークなどのネットワークにアクセスする際に使用される搬送波など、搬送波を使用して、コンピュータ可読電子データを搬送することができることを諒解されたい。もちろん、本明細書で説明する範囲および趣旨から逸脱することなく、この構成に対して多数の改変を行うことができ得ることを当業者ならば認識するであろう。
【００６０】
本出願で使用する「構成要素」、「モジュール」、「システム」、「プロトコル」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができ得るが、これらに限定されない。例として、サーバ上で動作するアプリケーションと、そのサーバの両方を構成要素とすることができる。１つまたは複数の構成要素がプロセスおよび／または実行スレッド内に常駐することができ得、構成要素を１つのコンピュータ上に配置し、および／または２つ以上のコンピュータ間に分散させることができ得る。
【００６１】
以上の説明は、１つまたは複数の実施形態の例を含む。もちろん、上述の実施形態について説明する目的で、構成要素または方法のあらゆる考えられる組合せについて説明することは不可能であるが、当業者は、様々な実施形態の多数のさらなる組合せおよび置換が可能であることを認識することができ得る。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
以下に、本願出願の当初の特許請求の範囲に記載された発明を付記する。
［Ｃ１］
ワイヤレス通信のための方法であって、
ネットワークパラメータのセットを分析することと、
前記ネットワークパラメータに部分的に基づいてネットワークにおいてネットワーククラスタのセットを自動的に形成することと、
前記ネットワークにおいて前記ネットワーククラスタの各セットにネットワークリソースを割り振ることと、
ユーザ機器のサブセットにワイヤレスサービスを提供するためにネットワーククラスタの前記セットから少なくとも１つのネットワーククラスタを動的に選択することと
を備える方法。
［Ｃ２］
前記ネットワークパラメータが、時間パラメータ、周波数パラメータ、リソース割振りパラメータ、干渉状態パラメータ、信号強度パラメータ、信号品質パラメータ、サービス品質パラメータ、または信号対雑音比（ＳＮＲ）パラメータを含む、Ｃ１に記載の方法。
［Ｃ３］
前記ネットワークリソースが、時間、周波数、空間次元または拡散符号を含む、Ｃ１に記載の方法。
［Ｃ４］
集中ネットワークノードから前記ネットワーククラスタを制御することをさらに備える、Ｃ１に記載の方法。
［Ｃ５］
複数のノードにわたる分散処理を介して前記クラスタを制御することをさらに備える、Ｃ１に記載の方法。
［Ｃ６］
指定された時間または周波数リソースを制御することをさらに備える、Ｃ１に記載の方法。
［Ｃ７］
１つの周波数帯域において１つのクラスタを自動的に定義し、少なくとも１つの他の周波数帯域において少なくとも１つの他のクラスタを自動的に定義することをさらに備える、Ｃ１に記載の方法。
［Ｃ８］
１つの時間期間に従って１つのクラスタを自動的に定義し、少なくとも１つの他の時間期間に従ってクラスタを自動的に定義することをさらに備える、Ｃ１に記載の方法。
［Ｃ９］
偶数サブフレームに従って１つのクラスタを自動的に定義し、奇数サブフレームに従って少なくとも１つの他のクラスタを自動的に定義することをさらに備える、Ｃ７に記載の方法。
［Ｃ１０］
利益分析に基づいてクラスタとそれに割り当てられた前記リソースとを判断するユーティリティをユーザ機器のサブセットに変換することをさらに備える、Ｃ１に記載の方法。
［Ｃ１１］
時間または周波数にわたって固定された方式でリソースブロックを割り振ることをさらに備える、Ｃ１に記載の方法。
［Ｃ１２］
ベースクラスタを地理的にシフトすることによってクラスタを自動的に生成し、生成された各クラスタに様々なネットワークリソースを割り当てることをさらに備える、Ｃ１に記載の方法。
［Ｃ１３］
前記ベースクラスタが、生成された各クラスタへの少なくとも６つの異なるネットワークリソースを割り当てられる、Ｃ１２に記載の方法。
［Ｃ１４］
好適なクラスタを判断するためにユーザ機器からのフィードバックを監視することをさらに備える、Ｃ１に記載の方法。
［Ｃ１５］
ユーザ機器サブセットに複数のクラスタ通信を適用し、前記通信からのフィードバックを監視することをさらに備える、Ｃ１４に記載の方法。
［Ｃ１６］
前記ユーザ機器に関するネットワークパフォ−マンスを最適化するクラスタサブセットを自動的に選択することをさらに備える、Ｃ１５に記載の方法。
［Ｃ１７］
様々なクラスタリング構成にわたって共通である１つまたは複数のマスタセルを形成することをさらに備える、Ｃ１に記載の方法。
［Ｃ１８］
マスタセルにデータゲートウェイを提供することをさらに備える、Ｃ１７に記載の方法。
［Ｃ１９］
前記ネットワーク中で１つまたは複数の重複クラスタを構成することをさらに備える、Ｃ１８に記載の方法。
［Ｃ２０］
前記ネットワークパラメータに基づいて１つまたは複数のクラスタセットを準静的に再構成することと、前記クラスタセットをネットワーク要件に適合させることとをさらに備える、Ｃ１に記載の方法。
［Ｃ２１］
ネットワークパラメータのセットを処理し、前記ネットワークパラメータに部分的に基づいてネットワーククラスタのセットを動的に形成し、ユーザ機器のサブセットにワイヤレスサービスを提供するためにネットワーククラスタの前記セットから少なくとも１つのネットワーククラスタを自動的に選択するための命令を保持するメモリと、
前記命令を実行するプロセッサと
を備える通信装置。
［Ｃ２２］
前記ネットワークパラメータが、時間パラメータ、周波数パラメータ、リソース割振りパラメータ、干渉状態パラメータ、信号強度パラメータ、信号品質パラメータ、サービス品質パラメータ、または信号対雑音比（ＳＮＲ）パラメータを含む、Ｃ２１に記載の装置。
［Ｃ２３］
集中ネットワークノードから前記ネットワーククラスタを制御するための命令をさらに備える、Ｃ２１に記載の装置。
［Ｃ２４］
複数のノードにわたる分散処理を介して前記クラスタを制御するための命令をさらに備える、Ｃ２１に記載の装置。
［Ｃ２５］
指定された時間または周波数リソースを制御するための命令をさらに備える、Ｃ２１に記載の装置。
［Ｃ２６］
１つの周波数帯域において１つのクラスタを自動的に定義し、少なくとも１つの他の周波数帯域において少なくとも１つの他のクラスタを自動的に定義するための命令をさらに備える、Ｃ２１に記載の装置。
［Ｃ２７］
１つの時間期間に従って１つのクラスタを自動的に定義し、少なくとも１つの他の時間期間に従ってクラスタを自動的に定義するための命令をさらに備える、Ｃ２１に記載の装置。
［Ｃ２８］
偶数サブフレームに従って１つのクラスタを自動的に定義し、奇数サブフレームに従って少なくとも１つの他のクラスタを自動的に定義するための命令をさらに備える、Ｃ２１に記載の装置。
［Ｃ２９］
ネットワークパラメータのセットを処理するための手段と、
前記ネットワークパラメータに部分的に基づいてネットワーククラスタのセットを判断するための手段と、
ユーザ機器のサブセットにワイヤレスサービスを提供するためにネットワーククラスタの前記セットから少なくとも１つのネットワーククラスタを選択するための手段と
を備える通信装置。
［Ｃ３０］
前記ネットワークパラメータが、時間パラメータ、周波数パラメータ、リソース割振りパラメータ、干渉状態パラメータ、信号強度パラメータ、信号品質パラメータ、サービス品質パラメータ、または信号対雑音比（ＳＮＲ）パラメータを含む、Ｃ２９に記載の装置。
［Ｃ３１］
ハンドオーバを管理するためのコードを含むコンピュータ可読媒体を備えるコンピュータプログラム製品であって、前記コードが、
コンピュータに、ネットワークパラメータのセットを分析させるためのコードと、
コンピュータに、前記ネットワークパラメータに部分的に基づいてネットワーククラスタのセットを集合させるためのコードと、
コンピュータに、ユーザ機器のサブセットにワイヤレスサービスを提供するためにネットワーククラスタの前記セットから少なくとも１つのネットワーククラスタを判断させるためのコードと
を備える、コンピュータプログラム製品。
［Ｃ３２］
前記ネットワークパラメータが、時間パラメータ、周波数パラメータ、リソース割振りパラメータ、干渉状態パラメータ、信号強度パラメータ、信号品質パラメータ、サービス品質パラメータ、または信号対雑音比（ＳＮＲ）パラメータを含む、Ｃ３１に記載のコンピュータプログラム製品。
［Ｃ３３］
時間または周波数成分を含むネットワークパラメータのセットを処理するための手段と、
前記時間または周波数成分に部分的に基づいてネットワーククラスタのセットを選択するための手段と、
ネットワーククラスタの前記セットからの少なくとも１つのネットワーククラスタをユーザ機器のサブセットに関連付けるための手段と
を備える通信装置。
［Ｃ３４］
前記ネットワークパラメータが、リソース割振りパラメータ、干渉状態パラメータ、信号強度パラメータ、信号品質パラメータ、サービス品質パラメータ、または信号対雑音比（ＳＮＲ）パラメータを含む、Ｃ３３に記載の装置。
【図１】
0005394490.tif 000002
【図２】
0005394490.tif 000003
【図３】
0005394490.tif 000004
【図４】
0005394490.tif 000005
【図５】
0005394490.tif 000006
【図６】
0005394490.tif 000007
【図７】
0005394490.tif 000008
【図８】
0005394490.tif 000009
【図９】
0005394490.tif 000010
【図１０】
0005394490.tif 000011
【図１１】
0005394490.tif 000012